(57)【要約】【課題】浴槽の側壁に設けられた配管接続部の施工やメンテナンスに要するスペースを縮小させるとともに、配管接続部の施工性やメンテナンス性を向上させることができる浴槽外部配管の水受構造を提供すること。【解決手段】浴槽１２の側壁１６に設けられて配管２０、２２と浴槽１２とを接続する追い焚き用アダプタ１８と、側壁１６に設けられて追い焚き用アダプタ１８の下方に位置する水受パン３４と、上端部３８Ｕが追い焚き用アダプタ１８の上方に配置され、下端部３８Ｄが水受パン３４内に納められ、中間部分３８Ｍが追い焚き用アダプタ１８よりも側壁１６の反対側に配置される可撓性の水飛散防止カバー３８と、を浴槽外部配管の水受構造が備えることで、側壁１６の追い焚き用アダプタ１８の施工やメンテナンスに要するスペースを縮小させるとともに、追い焚き用アダプタ１８の施工性やメンテナンス性を向上させることができる。【選択図】図３
2009168333.tif 000002
【特許請求の範囲】
【請求項１】
浴槽と、
前記浴槽の側壁に設けられ、配管と前記浴槽とを接続する配管接続部と、
前記側壁に設けられ、前記配管接続部の下方に位置する水受パンと、
上端部が前記配管接続部の上方に配置され、下端部が前記水受パン内に納められ、中間部分が前記配管接続部よりも反側壁側に配置される可撓性の水受カバーと、
を備えることを特徴とする浴槽外部配管の水受構造。
【請求項２】
前記配管を伝う水を止めて前記水受パンへ落下させる水止め部材を備えることを特徴とする請求項１に記載の浴槽外部配管の水受構造。
【請求項３】
前記水受カバーの上端部が水平方向に移動可能であることを特徴とする請求項１又は請求項２に記載の浴槽外部配管の水受構造。
【請求項４】
前記水受カバーの上端部が前記側壁に設けられることを特徴とする請求項１〜請求項３の何れか１項に記載の浴槽外部配管の水受構造。
【請求項５】
前記水受カバーは、透明材料又は半透明材料で構成されていることを特徴とする請求項１〜請求項４の何れか１項に記載の浴槽外部配管の水受構造。
【発明の詳細な説明】
【技術分野】
【０００１】
本発明は、配管接続部により配管が接続される浴槽外部配管の水受構造に関する。
【背景技術】
【０００２】
浴槽と建築躯体との間に防水パンを備えない所謂洗い場一体型浴槽のユニットバスにおいて、追い炊き用の配管を浴槽の側壁に空けられた孔に通して浴槽の側壁に接続する場合、この配管接続部からの漏水が発生してしまうと、漏れた水が建築躯体へ流れ落ち、建築躯体がダメージを受ける。このため、配管接続部からの漏水を受ける水受パンや水受ボックスを浴槽の側壁に設置することが行われている（例えば、特許文献１〜４参照）。特に水受ボックスでは、配管接続部全体を覆うことができるため、配管接続部から建築躯体への水の飛散を防止することができる。
【０００３】
ところで、前記した水受ボックスを用いた場合には、配管接続部からの漏水を目視するのに箱体である水受ボックスを浴槽の側壁から取り外す必要がある。しかし、浴槽の側壁と建築躯体との間のスペースの制約上、水受ボックスの取外し作業及び、目視後の水受ボックスの再取付作業を行うための作業スペースを十分に確保できない場合もある。さらに、作業スペースを確保できたとしても、浴槽の側壁と建築躯体との間の狭いスペースでの水受ボックスの取付・取外し作業は、容易な作業ではない。
【特許文献１】実開昭６１−１０６５７１号公報
【特許文献２】特開平１０−１４８４０３号公報
【特許文献３】特開平１−７５８５３号公報
【特許文献４】特開２００７−３５１号公報
【発明の開示】
【発明が解決しようとする課題】
【０００４】
本発明は、上記事実を考慮し、浴槽の側壁に設けられた配管接続部の施工やメンテナンスに要するスペースを縮小させるとともに、配管接続部の施工性やメンテナンス性を向上させることができる浴槽外部配管の水受構造を提供することを目的とする。
【課題を解決するための手段】
【０００５】
上記目的を達成するために、請求項１に記載の浴槽外部配管の水受構造は、浴槽と、前記浴槽の側壁に設けられ、配管と前記浴槽とを接続する配管接続部と、前記側壁に設けられ、前記配管接続部の下方に位置する水受パンと、上端部が前記配管接続部の上方に配置され、下端部が前記水受パン内に納められ、中間部分が前記配管接続部よりも反側壁側に配置される可撓性の水受カバーと、を備えることを特徴としている。
【０００６】
請求項１に記載の浴槽外部配管の水受構造では、水受パンは、配管接続部の下方に位置して浴槽の側壁に設けられており、配管接続部から漏れ出して浴槽の側壁を伝って流れ落ちる水を受け止めることができる。
水受カバーは、上端部が配管接続部の上方に配置され、下端部が水受パン内に納められ、中間部分が配管接続部よりも反側壁側（側壁の反対側）に配置されるため、配管接続部から漏れ出し飛散する水を受け止めることができる。この水受カバーによって受け止められた水は、水受カバーを伝って水受パンへと流れ落ちる。
よって、配管接続部からの漏水が建築躯体に至るのを防止することができる。
【０００７】
ここで、水受カバーの下端部を水受パン内から取り出し、配管接続部を目視できる位置まで水受カバーをめくり上げることで、水受カバーを取り外すことなく、配管接続部を目視し、配管接続部のメンテナンス作業を行うことが可能となる。
【０００８】
よって、従来用いられていた水受ボックスを取付・取り外しするような大きな作業スペースが不要となるため、配管接続部のメンテナンスや施工に要するスペースを縮小でき、また、配管接続部のメンテナンス性や施工性を向上させることができる。
【０００９】
請求項２に記載の浴槽外部配管の水受構造は、請求項１に記載の浴槽外部配管の水受構造であって、前記配管を伝う水を止めて前記水受パンへ落下させる水止め部材を備えることを特徴とする。
【００１０】
請求項２に記載の浴槽外部配管の水受構造では、配管を伝う水が、水止め部材によって止められて水受パンへ落下される。よって、配管接続部から漏れ出し、配管を伝う水の建築躯体への落下を防止できる。
【００１１】
請求項３に記載の浴槽外部配管の水受構造は、請求項１又は請求項２に記載の浴槽外部配管の水受構造であって、前記水受カバーの上端部が水平方向に移動可能であることを特徴としている。
【００１２】
請求項３に記載の浴槽外部配管の水受構造では、水受カバーの上端部を水平方向に移動させることで、水受パン内に納められた下端部も上端部に追従して移動する。これにより、配管接続部を目視でき、配管接続部のメンテナンスを容易化できる。
【００１３】
請求項４に記載の浴槽外部配管の水受構造は、請求項１〜請求項３の何れか１項に記載の浴槽外部配管の水受構造であって、前記水受カバーの上端部が前記側壁に設けられることを特徴としている。
【００１４】
請求項４に記載の浴槽外部配管の水受構造では、水受カバーの上端部が側壁に設けられるため、配管接続部から漏れ出す水が上方に飛散しても確実に水受カバーで受け止めることができる。よって、配管接続部からの漏水が建築躯体に至るのを効果的に防止することができる。
【００１５】
請求項５に記載の浴槽外部配管の水受構造は、請求項１〜請求項４の何れか１項に記載の浴槽外部配管の水受構造であって、前記水受カバーは、透明材料又は半透明材料で構成されていることを特徴としている。
【００１６】
請求項５に記載の浴槽外部配管の水受構造では、水受カバーを透明材料又は半透明材料で構成することにより、水受カバーをめくり上げたり、水平方向にずらしたりしなくても、配管接続部を目視できるため、配管接続部のメンテナンス性をより一層向上できる。
【発明の効果】
【００１７】
以上説明したように、本発明によれば、浴槽の側壁に設けられた配管接続部のメンテナンスや施工に要するスペースを縮小させるとともに、配管接続部のメンテナンス性や施工性を向上させることができる浴槽外部配管の水受構造を提供することが可能である。
【発明を実施するための最良の形態】
【００１８】
（第１の実施形態）
次に、本発明の浴槽外部配管の水受構造の第１の実施形態を図１〜図４に従って説明する。なお、図中において矢印Ｙで示されるのは水平方向に対して直交する上下方向である。
【００１９】
（浴槽、配管接続部）
図１に示すように、本発明の第１の実施形態に係るユニットバス１０は、浴槽１２及び洗い場１４と建築躯体１との間に防水パンを備えない所謂洗い場一体型浴槽とされており、浴槽１２の洗い場１４側から見て右側の側壁１６には、追い炊き用アダプタ（配管接続部）１８が配設されている。追い炊き用アダプタ１８は、吸い込み用の配管２０と吐き出し用の配管２２とを介して、浴室外部に設置された追い炊き釜（図示省略）に接続されている。
【００２０】
また、浴槽１２の洗い場１４側の側壁２６を覆うエプロン２８には、追い炊き用アダプタ１８を点検するための点検口３０が設けられている。この点検口３０は、通常時にはカバー（図示省略）で覆われ、追い炊き用アダプタ１８の点検時に開放される。
【００２１】
図２に示すように、追い炊き用アダプタ１８は、配管２０、２２が接続される基部１８Ａを浴槽１２の側壁１６の外側に備え、本体部（図示省略）を側壁１６の内側に備えている。基部１８Ａ及び本体部は、側壁１６に形成された貫通孔（図示）に挿通されており、該貫通孔と基部１８Ａ及び本体部との間には、シール材３２が介装されている。
【００２２】
基部１８Ａに設けられ配管２０、２２が結合される配管結合部１８Ｂ、１８Ｃは、上下に並んで洗い場１４側へ略水平に延出しており、これにより、配管２０、２２の上流端側は、上下に並んで洗い場１４側へ略水平に延出している。
【００２３】
（水受パン）
側壁１６の追い炊き用アダプタ１８の下方には、上面を開口した矩形箱状の水受パン３４が固設されている。この水受パン３４は、配管２０、２２に沿って略水平に延在する細長のトレイとされており、一の長辺である側壁３４Ａが、側壁１６に沿って湾曲し、側壁１６に密接した状態で固定されている。また、水受パン３４の一の短辺である側壁３４Ｂには、貫通孔３４Ｃが空けられており、この貫通孔３４Ｃには、排水管３６の一端部が接続されている。一方、排水管３６の他端部は洗い場１４に接続されている（図１参照）。なお、追い炊き用アダプタ１８の全体（但し、側壁１６の外側の全体）、及び配管２０、２２の追い炊き用アダプタ１８側の一部は、平面視にて水受パン３４と重合している。
【００２４】
（水受カバー）
図２及び図３（Ａ）に示されるように、側壁１６の追い炊き用アダプタ１８よりも上方に丸棒４０が側壁１６に沿って配置されている。この丸棒４０は、軸が略水平方向となるように、側壁１６に固定された一対の固定部材４２によって両端部が支持されている。また、図３（Ａ）及び図３（Ｂ）に示されるように、丸棒４０の固定部材４２間には、Ｓ字フック（Ｓ字状に形成された丸棒）４４が複数個引掛けられている。このＳ字フック４４の下部側には、可撓性の水飛散防止カバー３８が引掛けられている。具体的には、水飛散防止カバー３８の上端部３８Ｕ側に設けられ、且つＳ字フック４４の径よりも大径の貫通孔３８Ｈが、Ｓ字フック４４の下部側に引掛けられている。この水飛散防止カバー３８の下端部３８Ｄは、水受パン３４内に納められている。また、水飛散防止カバー３８の上端部３８Ｕと下端部３８Ｄとの中間部分３８Ｍは、追い炊き用アダプタ１８、及び配管２０、２２の追い炊き用アダプタ１８側の一部よりも、側壁１６の反対側に配置されている。これにより、追い炊き用アダプタ１８全体が側壁１６、水受パン３４、及び水飛散防止カバー３８によって囲まれるため、配管結合部１８Ｂ、１８Ｃと配管２０、２２との接続部分Ｊから水が漏れ出して飛散しても、接続部分Ｊを囲う何れかの要素で飛散した水を受け止め、建築躯体１への水の飛散を防止できる。
【００２５】
一方、図３（Ａ）に示されるように、水飛散防止カバー３８は、通常時には、追い炊き用アダプタ１８、及び配管２０、２２の追い炊き用アダプタ１８側の一部を覆うように配置されている。他方、水飛散防止カバー３８は、メンテナンス時などには、図４に示されるように、水飛散防止カバー３８に水平方向の力を作用させて各Ｓ字フック４４を丸棒４０に沿って矢印Ｆ方向に移動させ、追い炊き用アダプタ１８を目視できるようにする。なお、本実施形態の水飛散防止カバー３８は、例えば、塩化ビニル樹脂、ナイロン樹脂、ポリエステル樹脂などの合成樹脂材料によって形成されており、水平方向の力を作用させることで図４のように幅方向（水平方向）に折り畳まれる。
【００２６】
（水止め部材）
また、図２及び図３（Ａ）に示されるように、配管２０、２２には、発泡材や樹脂材により構成されたリング（水止め部材）４８が取付けられている。各リング４８は、平面視にて水受パン３４と重合するように配置されている。なお、本実施形態におけるリング４８のように水止めを目的とした部材を、配管２０、２２に取付けることは必須ではなく、例えば、側壁１６に取付け、部材の一部を配管２０、２２に当接させる等してもよい。
【００２７】
次に、第１の実施形態における作用について説明する。
図３（Ａ）に示すように、通常時には、水飛散防止カバー３８が追い炊き用アダプタ１８、及び配管２０、２２の追い炊き用アダプタ１８側の一部を覆うように配置されている（通常位置）。このため、配管結合部１８Ｂ、１８Ｃと配管２０、２２との接続部分Ｊから水が漏れ出し飛散する場合には、側壁１６、水受パン３４、及び水飛散防止カバー３８の何れかの要素で飛散する水を受け止めることができる。側壁１６で受け止めた水は、側壁１６を伝って流れ落ち、水受パン３４によって受け止められる。また、水飛散防止カバー３８で受け止めた水は、水飛散防止カバー３８を伝って流れ落ちて水受パン３４によって受け止められる。そして、水受パン３４によって受け止められた水は、排水管３６を通って洗い場１４側に排水される。従って、接続部分Ｊから建築躯体１への水の飛散を防止することができる。
【００２８】
また、追い炊き用アダプタ１８と側壁１６との接続部分Ｋから漏れ出して側壁１６を伝って流れ落ちる水は、そのまま水受パン３４により受け止められ、排水管３６により排水される。従って、接続部分Ｋから漏れ出した水が側壁１６を伝って建築躯体１へ流れ落ちることを防止することができる
【００２９】
また、追い炊き用アダプタ１８と側壁１６との接続部分Ｋや配管結合部１８Ｂ、１８Ｃと配管２０、２２との接続部分Ｊから漏れ出して配管２０、２２を伝って流れる水は、リング４８により止められて、リング４８から流れ落ちる。ここで、リング４８は、水受パン３４の上方に配置されているため、リング４８から流れ落ちた水は、水受パン３４により受け止められる。よって、漏水が、配管２０、２２を伝って建築躯体１へ流れ落ちることを防止することができる。
以上のことから、浴槽１２からの漏水により建築躯体１へダメージが加えられることを防止することができる。
【００３０】
一方、追い炊き用アダプタ１８のメンテナンス時には、点検口３０（図１参照）から追い炊き用アダプタ１８を目視で確認し、点検口３０から手を挿し込んで、点検、補修等を行う。
【００３１】
その際、水飛散防止カバー３８を、追い炊き用アダプタ１８を覆う通常位置から丸棒４０に沿った矢印Ｆ方向に移動させることで、水飛散防止カバー３８を取り外すことなく、追い炊き用アダプタ１８を目視し、追い炊き用アダプタ１８のメンテナンス作業を行うことができる（図４参照）。
【００３２】
これに対して、追い炊き用アダプタ１８全体を覆う箱型の水受ボックスを側壁１６に装着する場合には、追い炊き用アダプタ１８のメンテナンス時に、該水受ボックスを取り外さなければならず、そのための作業スペースを、側壁１６と建築躯体１（図１参照）との間に確保する必要があり、その分だけ側壁１６と建築躯体１との間のデッドスペースが拡大してしまう。
【００３３】
一方、本実施形態では、水飛散防止カバー３８や水受パン３４を取り外し及び再取付けするための作業スペースが不要となるため、上記デッドスペースを縮小でき、また、側壁１６と建築躯体１との間の限られたスペースにおけるメンテナンス性や施工性を向上させることができる。
【００３４】
（第２の実施形態）
次に、本発明の浴槽外部配管の水受構造の第２の実施形態について説明する。なお、第１の実施形態と同様の構成には同一の符号を付し、説明は省略する。
図５に示されるように、本実施形態の水飛散防止カバー５０は、上端部５０Ｕが側壁１６に両面接着テープ（図５では破線の斜線部分）で接着されている。なお、水飛散防止カバー５０は、追い炊き用アダプタ１８、及び配管２０、２２の追い炊き用アダプタ１８側の一部を覆うように配置（接着）されている。
【００３５】
次に、第２の実形態における作用について説明する。
水飛散防止カバー５０の下端部５０Ｄを水受パン３４内から取り出し、追い炊き用アダプタ１８を目視できる位置まで水飛散防止カバー５０をめくり上げることで、水飛散防止カバー５０を取り外すことなく、追い炊き用アダプタ１８を目視し、追い炊き用アダプタ１８のメンテナンス作業を行うことが可能となる。
【００３６】
また、第２の実施形態では、両面接着テープを用いて水飛散防止カバー５０の上端部５０Ｕを側壁１６に取り付けるため、施工作業が容易となる。さらに、この水飛散防止カバー５０は、既設の浴槽であっても後付けで接着することができる。このため、水飛散防止カバー５０の上端部５０Ｕを接着し、既設の水受パン内に下端部５０Ｄを収め、中間部分５０Ｍを追い焚き用アダプタ１８よりも反側壁側に配置すれば、既設の浴槽であっても本発明の作用効果を得ることができる。
【００３７】
（第３の実施形態）
次に、本発明の浴槽外部配管の水受構造の第３の実施形態について説明する。なお、第１の実施形態と同様の構成には同一の符号を付し、説明は省略する。
図６に示されるように、本実施形態の水飛散防止カバー６０は、透明又は半透明の樹脂材料により構成されている。なお、水飛散防止カバー６０の透明度（光透過度）は、水飛散防止カバーを透して追い炊き用アダプタ１８の配管結合部１８Ｂ、１８Ｃや配管２０、２２や側壁１６が視認できるレベルであることが望ましい。
【００３８】
次に、第３の実形態における作用について説明する。
メンテナンス時に、水飛散防止カバー６０を、追い炊き用アダプタ１８を覆う通常位置から丸棒４０に沿って矢印Ｆ方向に移動させなくても、透明又は半透明材料で構成された水飛散防止カバー６０を透して追い炊き用アダプタ１８を目視で確認することができる（すなわち、接続部分Ｊ、Ｋを目視で確認できる）ため、メンテナンス性をより一層向上できる。
【００３９】
（その他の実施形態）
第１の実施形態では、図２及び図３（Ａ）に示されるように、側壁１６の略上下方向に延びる垂直部分に固定部材４２を介して丸棒４０が設けられたが、本発明はこの構成に限定される必要はなく、例えば、図７に示されるように、側壁１６の追い炊き用アダプタ１８よりも上方の位置に段差部１６Ｄを形成し、この段差部１６Ｄに固定部材４２を介して丸棒４０が設けられてもよいものとする。また、この段差部１６Ｄに、第２の実施形態の水飛散防止カバー５０の上端部５０Ｕを両面接着テープで接着してもよいものとする。
【００４０】
第１及び第３の実施形態では、Ｓ字フック４４を引掛けるための部材を丸棒４０としているが、本発明はこの構成に限定される必要はなく、丸棒４０の代わりに固定部材４２間に結び付けた紐状体としてもよいものとする。この紐状体としては、金属繊維を撚ったものでも、合成繊維を撚ったものなどが挙げられる。
【００４１】
また、第１及び第３の実施形態では、Ｓ字フック４４を丸棒４０に引掛ける構成としているが、本発明はこの構成に限定される必要はなく、図７に示されるように、浴槽１２の側壁１６の上端部１６ＵにＳ字フック４４が引掛けられる構成でもよいものとする。なお、図８の符号１６Ｄは側壁１６の段差部を示し、符号１７は浴室の側壁１７を示し、符号１５は段差部１６Ｄと側壁１７との隙間をシールするシール剤を示している。Ｓ字フック４４を上端部１６Ｕに引掛けることで、水飛散防止カバーを取り付けるための部材点数を減らすことができる。
【００４２】
以上、本発明を特定の実施形態について詳細に説明したが、本発明はかかる実施形態に限定されるものではなく、本発明の範囲内にて他の種々の実施形態が可能であることは当業者にとって明らかである。例えば、本実施形態では、配管接続部として追い炊き用アダプタ１８を用いた例を採って本発明を説明したが、ジェットバス用の配管接続部等の漏水対策にも本発明を適用することで同様の効果を得ることができる。
【図面の簡単な説明】
【００４３】
【図１】本発明の第１の実施形態に係る浴槽外部配管の水受構造を備えるユニットバスを示す側断面図である。
【図２】本発明の第１の実施形態に係る浴槽外部配管の水受構造を示す斜視図である。
【図３】（Ａ）図１の水受カバーの正面図である。（Ｂ）図３（Ａ）のＢ−Ｂ線断面図である。
【図４】図１の水受カバーを水平方向に移動させたときの水受カバーの正面図である。
【図５】本発明の第２の実施形態に係る浴槽外部配管の水受構造の水受カバーの正面図である。
【図６】本発明の第３の実施形態に係る浴槽外部配管の水受構造の水受カバーの正面図である。
【図７】本発明のその他の実施形態に係る浴槽外部配管の水受構造の水受カバーの側断面図である。
【図８】本発明のその他の実施形態に係る浴槽外部配管の水受構造の水受カバーの側断面図である。
【符号の説明】
【００４４】
１２    浴槽
１６    側壁
１８    追い炊き用アダプタ（配管接続部）
２０    配管
２２    配管
３４    水受パン
３８    水飛散防止カバー（水受カバー）
５０    水飛散防止カバー（水受カバー）
６０    水飛散防止カバー（水受カバー）
【図１】
2009168333.tif 000003
【図２】
2009168333.tif 000004
【図３】
2009168333.tif 000005
【図４】
2009168333.tif 000006
【図５】
2009168333.tif 000007
【図６】
2009168333.tif 000008
【図７】
2009168333.tif 000009
【図８】
2009168333.tif 000010